(57)【要約】【課題】  組立が簡易で、使用寿命を延長できる電動スクリーンのリールの組立装置を提供する。【解決手段】  一つの軸本体１及び一つのインサーター２からなる。軸本体１は表縁面の一端に滑り溝１１が設けてあり、滑り溝の一側に一つの突出棒１２が形成されている。突出棒１２の一側に貫通部１３が形成され、貫通部１３の一側に斜めに切った嵌め物１４が形成されている。斜めに切った嵌め物１４の一側に複数の窪み滑り道１５及び突出部１６が設けてある。インサーター２は一端に突出物２１が設けてあり、突出物２１の一側に貫通部２２が形成されている。貫通部２２の一側に斜めに切ったフック部２３が設けてあり、斜めに切ったフック部２３の一側に複数の突出部２４及び内へ窪んだ滑り道２５が設けてある。【選択図】    図４
0003102858.tif 000002
【実用新案登録請求の範囲】
【請求項１】
電動スクリーンのリールの組立装置であって、
一つの軸本体及び一つのインサーターからなり、軸本体は表縁面の一端に滑り溝が設けてあり、滑り溝の一側に一つの突出棒が形成され、突出棒の一側に貫通部が形成され、貫通部の一側に斜めに切った嵌め物が形成され、斜めに切った嵌め物の一側に複数の窪み滑り道が設けてあり、滑り道の一側は突出部になっており、インサーターはその一端に突出物が設けてあり、突出物の一側に貫通部が形成され、貫通部の一側に斜めに切ったフック部が設けてあり、斜めに切ったフック部の一側に複数の突出部が設けてあり、突出部の一側は内へ窪んだ滑り道が形成されていることを特徴とする電動スクリーンのリールの組立装置。
【考案の詳細な説明】
【技術分野】
【０００１】
本考案は、電動スクリーンのリールの組立構造を提供して、主としては、一つの軸本体及び一つのインサーターからなり、組立は簡易で、例え長時間に渡って使用しても、スクリーンは依然として脱落せず、使用寿命が延長できる実用性のあるものである。
【背景技術】
【０００２】
現代になって、各種のデータ放送の動きは日増しに増えてきたため、プロジェクターを使って教学デモ及びデータ伝播を行うのが至る所で見られるようになった。そして、それと合わせて使われるスクリーンも欠くことができなくなる。使用する際、スクリーンのかけ枠１０を壁に固着しておいて、電動伝送によって、スクリーン２０及び対重棒５０を定められた長さまで引き出してから、初めて投影に使われるものであり、それを図１に示されたものを参考にしてください。
【０００３】
また、目下の従来知られたスクリーン２０とリール３０を組み立てる過程において、まずセロテープ４０をスクリーン２０とリール３０に貼っておいてからこそ初めて固着できて実施できるものであり、続けて図２及び図３を参考にしてください。
【０００４】
従来知られたスクリーン２０とリール３０を組み立てる過程において、固着の目的を達することができるが、長時間の使用によってやはり次のような解決策を急がなければならいような欠点があるのである。
【０００５】
その一は、スクリーン２０にＰＶＣ布のフォーミング剤が含まれているため、もし長期間に渡ってセロテープ４０と接触したら、セロテープ４０の粘着剤が粘性を失うことを齎すので、スクリーン２０が脱落しやすくなることになる。
【０００６】
その二は、セロテープ４０は長期間の使用を経て温度が下がったり、上がったりする変化に連れてその粘着性に影響を受けるために、スクリーン２０が脱落しやすくなることになる。
【考案の開示】
【考案が解決しようとする課題】
【０００７】
本考案は、電動スクリーンのリールの組立構造を提供して、主としては、一つの軸本体及び一つのインサーターからなり、組立は簡易で、例え長時間に渡って使用しても、スクリーンは依然として脱落せず、使用寿命が延長できる実用性のあるものである。
【課題を解決するための手段】
【０００８】
電動スクリーンのリールの組立装置であり、主としては、一つの軸本体及び一つのインサーターからなり、軸本体においては、表縁面の一端に滑り溝が設けてあり、滑り溝の一側に一つの突出棒が形成され、突出棒の一側に貫通部が形成され、貫通部の一側に斜めに切った嵌め物が形成され、その特徴とは、斜めに切った嵌め物の一側に複数の窪み滑り道及び突出部が設けてあることにあり、インサーターにおいては、一端に突出物が設けてあり、突出物の一側に貫通部が形成され、その特徴とは、貫通部の一側に斜めに切ったフック部が設けてあり、斜めに切ったフック部の一側に複数の突出部及び内へ窪んだ滑り道が設けてあることにある。
【考案を実施するための最良の形態】
【０００９】
本考案で取られた技術手段及び構造の特徴によって達成しようとする効果及び目的に関しては、最も優れた実施例を以って図面の簡単な説明及び符号の説明と合わせて詳しく次のように説明する。
【００１０】
図４を参考にしてください。本考案の一実施例による請求項１に記載された一種の電動スクリーンのリールの組立構造は、主として、一つの軸本体１、一つのインサーター２及び一つのスクリーン３からなる。
【００１１】
その中においては、軸本体１は表縁面の一端に滑り溝１１が設けてあり、滑り溝１１の一側に一つの突出棒１２が形成され、突出棒１２の一側に貫通部１３が形成され、貫通部１３の一側に斜めに切った嵌め物１４が形成され、その特徴とは、斜めに切った嵌め物１４の一側に複数の窪み滑り道１５が設けてあり、滑り道１５の一側は突出部１６になっていることにある。
【００１２】
インサーター２は一端に突出物２１が設けてあり、突出物２１の一側に貫通部２２が形成され、貫通部２２の一側に斜めに切ったフック部２３が設けてあり、その特徴とは、斜めに切ったフック部２３の一側に複数の突出部２４が設けてあり、突出部２４の一側には内へ窪んだ滑り道２５が形成されていることにある。
スクリーン３は従来知られた通りのものである。
【００１３】
続けて図５を参考にしてください。まず、インサーター２の突出物２１を軸本体１の滑り溝１１の中に滑り入れて軸本体１をインサーター２と嵌めるようにさせ、次は、スクリーン３の一端を突出部１６の中に入れて、また、軸本体１をインサーター２と押し合わせることによって、斜めに切ったフック部２３が斜めに切った嵌め物１４を滑らせて嵌め止める状態になり、同時に突出部２４及び突出部１６を其々内へ窪んだ滑り道１５及び滑り道２５の中に嵌め入れるようにさせたら、スクリーン３は軸本体１とインサーター２の中に噛み合わされて安定した固着状態になり、それは図６及び図７に示されたようである。もしスクリーン３を外したい場合、まず、軸本体１とインサーター２を一定の距離までずらしてから、突出部２４及び突出部１６を引き開けたらいい。
【００１４】
上述のような組立の実施によって、組立は簡易になるし、例え長時間使用してもスクリーン３は依然として脱落せず、有効に使用寿命が延長できる実用性を持つものになる。上述したものは本考案の一つのよりよい実施例に過ぎないものであるために、それを以って本考案の実施範囲を限定することはできないものである。凡そ本考案の特許請求範囲による均等な変化と修飾は皆本考案の特許範囲に属すべきものである。
【図面の簡単な説明】
【００１５】
【図１】一般の電動スクリーンを壁に固着して使用する状態の模式図である。
【図２】従来のスクリーンとリールをセロテープでスクリーンとリールの中に貼る状態を示す模式図である。
【図３】従来のスクリーンとリールをセロテープでスクリーンとリールの中に貼って使用する状態を示す模式図である。
【図４】本考案の一実施例による電動スクリーンのリールの組立構造の分解斜視図である。
【図５】本考案の一実施例による電動スクリーンのリールの組立構造を組み立てる状態を示す模式図である。
【図６】本考案の一実施例による電動スクリーンのリールの組立構造を組み立てる状態を示す模式図である。
【図７】本考案の一実施例による電動スクリーンのリールの組立構造を組み立てて実際に使用する状態を示す模式図である。
【符号の説明】
【００１６】
１  軸本体、２  インサーター、１０  スクリーンのかけ枠、１１  滑り溝、１２  突出棒、１３  貫通部、１４  斜めに切った嵌め物、１５  内へ窪んだ滑り道、１６  突出部、２０  スクリーン、２１  突出物、２２  貫通部、２３  斜めに切ったフック部、２４  突出部、２５  内へ窪んだ滑り道、３０  リール、４０  セロテープ、５０  対重棒
【図１】
0003102858.tif 000003
【図２】
0003102858.tif 000004
【図３】
0003102858.tif 000005
【図４】
0003102858.tif 000006
【図５】
0003102858.tif 000007
【図６】
0003102858.tif 000008
【図７】
0003102858.tif 000009